(57)【要約】【課題】子供や弱視者にもアレルギー物質が含まれているか否かを分かりやすくし、食品を包装容器から取り出したあとも、アレルギー物質に関する情報を確認しやすくしたラベル印字装置およびラベル片によるアレルギー物質表示方法を提供すること。【解決手段】アレルギー物質テーブルを準備し、印字データを印字した第１のラベル片１０Ａおよび第２のラベル片１０Ｂを食品の包装容器の表面側および裏面側にそれぞれ貼り付けることに着目し、アレルギー物質テーブルを設けるとともに、アレルギー物質に関するアレルギー情報を印字データの一部として表示可能とし、食品の表面側に貼り付ける第１のラベル片１０Ａと、食品の裏面側に貼り付ける第２のラベル片１０Ｂと、を準備し、第１のラベル片１０Ａおよび第２のラベル片１０Ｂには、食品を特定するための光学読み取り可能なコードをそれぞれ印字可能であることを特徴とする。【選択図】図６
2013248822.tif 000002
【特許請求の範囲】
【請求項１】
食品に関する印字データをラベル片に印字するラベル印字装置であって、
前記食品の原材料に含まれるアレルギー物質に関するアレルギー物質テーブルを設けるとともに、
前記印字データに含まれる前記原材料が、このアレルギー物質テーブルに記載されている前記アレルギー物質を含む場合には、前記アレルギー物質に関するアレルギー情報を前記印字データの一部として前記ラベル片に表示可能としており、
前記ラベル片として、前記食品の表面側に貼り付ける第１のラベル片と、前記食品の裏面側に貼り付ける第２のラベル片と、を準備し、
この第１のラベル片および第２のラベル片に前記印字データをそれぞれ印字可能とするとともに、
この第１のラベル片およびこの第２のラベル片には、前記食品を特定するための光学読み取り可能なコードをそれぞれ印字可能であることを特徴とするラベル印字装置。
【請求項２】
前記アレルギー物質テーブル中に記載されているアレルギー物質を、必ず表示しなければならない表示義務品目と、表示することが推奨されている表示推奨品目と、に分類するとともに、
前記アレルギー物質テーブルにおいて、これらの表示義務品目および表示推奨品目について、それぞれのアレルギービットを設定することを特徴とする請求項１記載のラベル印字装置。
【請求項３】
前記アレルギー物質テーブル中に記載されているアレルギー物質を、必ず表示しなければならない表示義務品目と、表示することが推奨されている表示推奨品目と、に分類した上で、前記ラベル片に表示することを特徴とする請求項１記載のラベル印字装置。
【請求項４】
前記第１のラベル片には、少なくとも前記表示義務品目を印字するとともに、
前記第２のラベル片には、前記表示義務品目および前記表示推奨品目を印字することを特徴とする請求項２または３記載のラベル印字装置。
【請求項５】
前記アレルギー情報は、前記食品の購入者が目視により識別しやすい文字ないし図形によりこれを表示可能としていることを特徴とする請求項１ないし４のいずれかに記載のラベル印字装置。
【請求項６】
前記第２のラベル片は、前記食品の包装容器の底部にこれを貼り付けるとともに、前記第１のラベル片は、前記食品を容れたこの包装容器の上部にこれを貼り付けることを特徴とする請求項１ないし５のいずれかに記載のラベル印字装置。
【請求項７】
食品に関する印字データをラベル印字装置により印字するラベル片によるアレルギー物質表示方法であって、
前記ラベル印字装置には、前記食品の原材料に含まれるアレルギー物質に関するアレルギー物質テーブルを設け、
前記ラベル片として、第１のラベル片および第２のラベル片を準備するとともに、
前記印字データに含まれる前記原材料が、前記アレルギー物質テーブルに記載されている前記アレルギー物質を含む場合には、前記アレルギー物質に関するアレルギー情報を前記印字データの一部として前記第１のラベル片および前記第２のラベル片に表示し、
さらに、前記第１のラベル片および前記第２のラベル片には、前記食品を特定するための光学読み取り可能なコードをそれぞれ印字し、
前記第１のラベル片を前記食品の表面側に貼り付けるとともに、前記第２のラベル片を前記食品の裏面側に貼り付けることを特徴とするラベル片によるアレルギー物質表示方法。
【発明の詳細な説明】
【技術分野】
【０００１】
本発明はラベル印字装置およびラベル片によるアレルギー物質表示方法にかかるもので、とくに購入者が購入しようとする食品についてアレルギー物質の有無を識別しやすいようにしたラベル印字装置およびラベル片によるアレルギー物質表示方法に関するものである。
【背景技術】
【０００２】
従来から、食品用のラベルに価格や原材料名その他の情報を印字するためのラベル印字装置には、食品の原材料が含むアレルギー物質を印字することにより、アレルギー物質に関する情報を表示して購入者の利便に供するようにしている（特許文献１）。
【０００３】
この特許文献１によれば、商品番号や添加物または原材料を商品ごとに記憶し、商品にアレルギー物質が含まれている場合に、そのアレルギー物質に関する情報を印字したラベルを発行するようにしているが、同情報を単純に印字表示するだけであるため、購入者が子供や弱視者である場合などでは、アレルギー物質について視認、ないしは目視による識別がしにくいという問題がある。
【０００４】
さらに、食品を購入し、たとえば自宅などでラベルが貼り付けられているその包装容器から食品を取り出したあとでは、購入した食品に含まれるアレルギー物質についての情報が分からなくなる可能性があるという問題がある。
【０００５】
また、食品の包装容器にバーコードや二次元コードなど光学的に読み取り可能なコードを印字してある場合には、レジにおいてこれらのコードを光学的に読み取る際に、包装容器の表面側のみにラベルが付されていると、包装容器を上下ひっくり返す必要があり、食品の種類あるいはその収容状態によっては、内部の食品の盛りつけが崩れてしまうという問題がある。
【先行技術文献】
【特許文献】
【０００６】
【特許文献１】特開２００８−４１０４８号公報
【発明の概要】
【発明が解決しようとする課題】
【０００７】
本発明は以上のような諸問題にかんがみなされたもので、子供や弱視者にもアレルギー物質が含まれているか否かを分かりやすくしたラベル印字装置およびラベル片によるアレルギー物質表示方法を提供することを課題とする。
【０００８】
また本発明は、食品を包装容器から取り出したあとも、アレルギー物質に関する情報を確認しやすくすることができるラベル印字装置およびラベル片によるアレルギー物質表示方法を提供することを課題とする。
【０００９】
また本発明は、レジにおけるコードの光学的読み取り工程においても食品の盛りつけなどが崩れることがないようにしたラベル印字装置およびラベル片によるアレルギー物質表示方法を提供することを課題とする。
【課題を解決するための手段】
【００１０】
すなわち本発明は、アレルギー物質を含むアレルギー物質テーブルを準備しておくとともに、印字データを第１のラベル片および第２のラベル片に必要に応じて印字すること、およびこれら第１のラベル片および第２のラベル片を食品の表面側および裏面側にそれぞれ貼り付けることに着目したもので、第一の発明は、食品に関する印字データをラベル片に印字するラベル印字装置であって、上記食品の原材料に含まれるアレルギー物質に関するアレルギー物質テーブルを設けるとともに、上記印字データに含まれる上記原材料が、このアレルギー物質テーブルに記載されている上記アレルギー物質を含む場合には、上記アレルギー物質に関するアレルギー情報を上記印字データの一部として上記ラベル片に表示可能としており、上記ラベル片として、上記食品の表面側に貼り付ける第１のラベル片と、上記食品の裏面側に貼り付ける第２のラベル片と、を準備し、この第１のラベル片および第２のラベル片に上記印字データをそれぞれ印字可能とするとともに、この第１のラベル片およびこの第２のラベル片には、上記食品を特定するための光学読み取り可能なコードをそれぞれ印字可能であることを特徴とするラベル印字装置である。
【００１１】
第二の発明は、食品に関する印字データをラベル印字装置により印字するラベル片によるアレルギー物質表示方法であって、上記ラベル印字装置には、上記食品の原材料に含まれるアレルギー物質に関するアレルギー物質テーブルを設け、上記ラベル片として、第１のラベル片および第２のラベル片を準備するとともに、上記印字データに含まれる上記原材料が、上記アレルギー物質テーブルに記載されている上記アレルギー物質を含む場合には、上記アレルギー物質に関するアレルギー情報を上記印字データの一部として上記第１のラベル片および上記第２のラベル片に表示し、さらに、上記第１のラベル片および上記第２のラベル片には、上記食品を特定するための光学読み取り可能なコードをそれぞれ印字し、上記第１のラベル片を上記食品の表面側に貼り付けるとともに、上記第２のラベル片を上記食品の裏面側に貼り付けることを特徴とするラベル片によるアレルギー物質表示方法である。
【００１２】
上記アレルギー物質テーブル中に記載されているアレルギー物質を、必ず表示しなければならない表示義務品目と、表示することが推奨されている表示推奨品目と、に分類するとともに、上記アレルギー物質テーブルにおいて、これらの表示義務品目および表示推奨品目について、それぞれのアレルギービットを設定することができる。
【００１３】
上記アレルギー物質テーブル中に記載されているアレルギー物質を、必ず表示しなければならない表示義務品目と、表示することが推奨されている表示推奨品目と、に分類した上で、上記ラベル片に表示することができる。
【００１４】
上記第１のラベル片には、少なくとも上記表示義務品目を印字するとともに、上記第２のラベル片には、上記表示義務品目および上記表示推奨品目を印字することができる。
【００１５】
上記アレルギー情報は、上記食品の購入者が目視により識別しやすい文字ないし図形によりこれを表示可能としていることができる。
【００１６】
上記第２のラベル片は、上記食品の包装容器の底部にこれを貼り付けるとともに、上記第１のラベル片は、上記食品を容れたこの包装容器の上部にこれを貼り付けることができる。
なお、上記包装容器の上部に上記第１のラベル片を貼り付ける構成としては、上記包装容器の蓋などその上部に上記第１のラベル片を直接貼り付ける構成や、上記包装容器を包む透明な包装材の上部に貼り付ける構成などがある。
【発明の効果】
【００１７】
本発明によるラベル印字装置およびラベル片によるアレルギー物質表示方法においては、アレルギー物質に関するアレルギー物質テーブルを準備し、バーコードその他の光学的に読み取り可能なコードを含む印字データの一部としてアレルギー情報を第１のラベル片および第２のラベル片に印字すること、およびこれら第１のラベル片および第２のラベル片を食品の包装容器の表面側および裏面側にそれぞれ貼り付けるようにしたので、食品の購入者が子供や弱視者などであっても、アレルギー物質の有無を容易に確認可能であるとともに、支払い処理におけるバーコードなどのコードを光学的に読み取る際に包装容器をひっくり返す必要がなく、内容物の崩れも防止可能である。
【００１８】
とくに第一の発明のラベル印字装置によれば、食品の原材料のアレルギー物質に関するアレルギー物質テーブルを設けるとともに、印字データの一部としてアレルギー情報を、食品の表面側に貼り付ける第１のラベル片と、食品の裏面側に貼り付ける第２のラベル片と、にそれぞれ印字可能としたので、食品の購入者がアレルギー物質の有無を目視により容易に確認可能なラベル片を印字することができる。
【００１９】
とくに第二の発明のラベル片によるアレルギー物質表示方法によれば、食品の原材料のアレルギー物質に関するアレルギー物質テーブルをラベル印字装置に設けるとともに、アレルギー物質に関するアレルギー情報を印字データの一部として、第１のラベル片と、第２のラベル片と、にそれぞれ印字可能とし、この第１のラベル片およびこの第２のラベル片には、食品を特定するための光学読み取り可能なコードをそれぞれ印字し、第１のラベル片を食品の表面側に貼り付けるとともに、第２のラベル片を食品の裏面側に貼り付けるようにしたので、食品の購入者がアレルギー物質の有無を容易に確認可能であるとともに、支払い処理におけるバーコードなどのコードを光学的に読み取る際に包装容器をひっくり返す必要がなく、内容物の崩れも防止可能である。
【図面の簡単な説明】
【００２０】
【図１】本発明の実施例によるラベル印字装置１の概略側面図である。
【図２】同、ラベル印字装置１（制御部８）の概略回路図である。
【図３】同、食品の原材料が含むアレルギー物質に関するアレルギー物質テーブル２５の説明図である。
【図４】同、特徴的な図柄あるいは特徴的な文字ないしは大きな文字の一例を示す説明図であって、図４（１）は、表示義務品目（７品目）についての特徴的な図柄の一例を示す説明図、図４（２）は、表示義務品目（たとえば「卵」）についてこれを特徴的な文字により表示した例の説明図、図４（３）は、表示義務品目（たとえば「エビ」）についてこれを特徴的な図柄により表示した例の説明図である。
【図５】同、ラベル印字装置１の印字動作のフローチャート図である。
【図６】同、ラベル印字装置１により印字済みのラベル片１０の説明図であって、図６（１）は、印字データを第１のラベル片１０Ａに印字した例を示す説明図、図６（２）は、印字データを第２のラベル片１０Ｂに印字した例を示す説明図である。
【図７】同、第１のラベル片１０Ａを食品Ｆの包装容器２８の表面側（包装材３５の上部）に貼り付けるとともに、第２のラベル片１０Ｂを包装容器２８の裏面側に貼り付けた状態を示す概略側面図である。
【発明を実施するための形態】
【００２１】
本発明は、アレルギー物質に関するアレルギー物質テーブルを準備し、印字データの一部としてアレルギー情報を第１のラベル片および第２のラベル片に印字すること、およびこれら第１のラベル片および第２のラベル片を食品の包装容器の表面側および裏面側にそれぞれ貼り付けるようにしたので、食品の購入者がアレルギー物質の有無を容易に確認可能であるとともに、支払い処理におけるバーコードなどのコードを光学的に読み取る際に包装容器をひっくり返す必要がなく、内容物の崩れも防止可能なラベル印字装置およびラベル片によるアレルギー物質表示方法を実現した。
【実施例】
【００２２】
つぎに本発明の実施例によるラベル印字装置１およびラベル片１０によるアレルギー物質表示方法を図１ないし図７にもとづき説明する。
図１は、ラベル印字装置１の概略側面図であって、ラベル印字装置１は、ラベル連続体２の供給部３と、検出部４と、印字部５と、操作部６と、表示部７と、制御部８と、を有する。
【００２３】
ラベル連続体２は、帯状の台紙９と、台紙９に仮着した複数枚のラベル片１０と、を有し、隣り合うラベル片１０の間のギャップ、あるいは台紙９の裏面に所定ピッチであらかじめ印刷してある位置検出用マーク（図示せず）を検出部４により検出して、印字部５に対するラベル連続体２（ラベル片１０）の相対的位置を検出可能としている。
なお、ラベル片１０は、加熱により発色可能な感熱発色層を有する、いわゆるサーマル紙であって、印字部５において所定の印字データを印字して表示可能である。
【００２４】
検出部４は、位置検出用センサー１１を有し、上記ギャップあるいは位置検出用マークを検出可能である。
【００２５】
印字部５は、サーマルヘッド１２と、プラテンローラー１３と、を有し、サーマルヘッド１２およびプラテンローラー１３の間にラベル連続体２を挟持し、ステッピングモーター１４によりプラテンローラー１３を回転駆動するとともに、サーマルヘッド１２からの印字データの供給によりラベル片１０への印字を可能とする。
ただし、図６にもとづいて後述するように、ラベル片１０としては、第１のラベル片１０Ａおよび第２のラベル片１０Ｂを準備するもので、印字部５においては、連続する二枚のラベル片１０（第１のラベル片１０Ａおよび第２のラベル片１０Ｂ）にわたって印字データを印字するものである。
なお、ラベル片１０がサーマル紙ではない場合には、熱転写インキリボン（図示せず）を用いた熱転写印字方式による印字部５を構成することもできる。
【００２６】
操作部６は、食品に関する所定の印字データおよびコマンドなどをラベル印字装置１に入力可能な各種キーその他（図示せず）を有する。
【００２７】
表示部７は、任意のタイプのディスプレイを有し、操作部６により入力された印字データおよびコマンドなどを表示可能である。
なお、制御部８を介して外部のパソコン１５などにラベル印字装置１を接続し、パソコン１５からの印字データおよびコマンドなどを受信するように構成することもできる。
【００２８】
制御部８は、上述の検出部４、印字部５、操作部６および表示部７を制御する。
図２は、ラベル印字装置１（制御部８）の概略回路図であって、制御部８は、ＣＰＵ１６と、ＲＯＭ１７と、ＲＡＭ１８と、インターフェース１９と、モーター駆動部２０と、ヘッド駆動部２１と、センサー駆動部２２と、操作駆動部２３と、表示駆動部２４と、を有する。
【００２９】
ＣＰＵ１６は、制御ないし操作のためのプログラムを記憶したＲＯＭ１７およびデータ処理部を有するＲＡＭ１８を用いて、インターフェース１９、モーター駆動部２０、ヘッド駆動部２１、センサー駆動部２２、操作駆動部２３および表示駆動部２４をそれぞれ制御駆動する。
【００３０】
図３は、食品の原材料が含むアレルギー物質に関するアレルギー物質テーブル２５の説明図であって、アレルギー物質テーブル２５は、制御部８のＲＯＭ１７あるいはＲＡＭ１８にこれを設けるもので、アレルギー物質欄２６と、アレルギービット欄２７と、を有する。
【００３１】
アレルギー物質テーブル２５においては、食品衛生法に特定原材料等として規定されているアレルギー物質名をアレルギー物質欄２６に記憶し、アレルギービット欄２７には、これらのアレルギー物質のレベルをビット「１」あるいは「２」で識別する。
すなわち、食品衛生法では、卵（玉子、マヨネーズなど）、乳（牛乳、乳製品、チーズなど）、小麦（パン、うどんなど）、ソバ（日本蕎麦）、落花生（ピーナッツ）、エビ（海老フライ、海老天ぷらなど）、カニ（上海ガニ、松葉ガニなど）の７品目については、これを特定原材料（以下、「表示義務品目」と記載する）（すなわちアレルギー物質）として表示することが義務付けられている。
また、あわび、イカ、イクラ、オレンジ、キウイフルーツ、牛肉、くるみ、さけ、さば、大豆、鶏肉、豚肉、まつたけ、もも、ヤマイモ、りんご、バナナ、ゼラチンの１８品目については、これを特定原材料等（以下、「表示推奨品目」と記載する）（すなわちアレルギー物質）として表示することが推奨されている。
上記アレルギー物質テーブル２５のアレルギービット欄２７では、上記表示義務品目のアレルギー物質に、たとえばビット「１」を設定し、表示推奨品目のアレルギー物質に、たとえばビット「２」を設定して、アレルギー物質を含まない一般的な原料から識別可能としている。
【００３２】
本発明によるラベル印字装置１おいては、上記表示義務品目については、特徴的な図柄あるいは特徴的な文字ないしは太文字や大きな文字によりこれを表示するとともに、上記表示推奨品目については、太文字や斜文字などでこれを表示することにより、子供や弱視者などの購入者に目視により識別しやすい表示を可能としている。
たとえば、図４は、上記特徴的な図柄あるいは特徴的な文字ないしは大きな文字の一例を示す説明図であって、図４（１）は、表示義務品目（７品目）についての特徴的な図柄の一例を示す説明図、図４（２）は、表示義務品目（たとえば「卵」）についてこれを特徴的な文字により表示した例の説明図、図４（３）は、表示義務品目（たとえば「エビ」）についてこれを特徴的な図柄により表示した例の説明図である。
【００３３】
こうした構成のラベル印字装置１による食品用のラベル片１０への印字について図５ないし図７にもとづき説明する。
図５は、ラベル印字装置１の印字動作のフローチャート図であって、ステップＳ１において、アレルギー物質テーブル２５の内容を読み込む。
なお、印字データとしては、その食品の品名はもちろん、その原材料名や内容量、加工者その他必要な情報を操作部６および表示部７を用いて、あるいは外部のパソコン１５などからラベル印字装置１にあらかじめ入力済みである。
【００３４】
ステップＳ２において、印字データとして入力されている原材料中に、アレルギー物質テーブル２５に該当するアレルギー物質があるか否かを参照し、そのアレルギー物質のアレルギー物質テーブル２５におけるアレルギービット欄２７がビット「１」であれば、この食品がアレルギー物質の表示義務品目を含むものと判断して、つぎのステップＳ３において、前記７品目のうちのいずれかのアレルギー物質についてその印字データの一部として、たとえば図４のような特徴的な図柄あるいは文字のアレルギー情報をセットし、その他の印字データとともにステップＳ４において印字を実行する。
【００３５】
ステップＳ２において、アレルギー物質のビットが「１」ではない場合に、ステップＳ５において、ビットが「２」であるか否かを判断し、ビットが「２」であれば、この食品がアレルギー物質の表示推奨品目を含むものと判断して、つぎのステップＳ６において、前記１８品目のうちのいずれかのアレルギー物質についてその印字データの一部として、図４のような特徴的な図柄あるいは文字とは別の太文字あるいは斜体文字などによるアレルギー情報をセットし、その他の印字データとともにステップＳ４において印字を実行する。
【００３６】
ステップＳ５においてビットが「２」ではない場合には、ステップＳ７において、この食品はアレルギー物質を含まないものとして、供給される印字データにもとづきステップＳ４において通常の印字を実行する。
【００３７】
ただし、本発明においては、アレルギー物質情報を含む印字データについて、二枚のラベル片１０（第１のラベル片１０Ａおよび第２のラベル片１０Ｂ）に分けてこれを印字する。
すなわち、図６は、ラベル印字装置１により印字済みのラベル片１０の説明図であって、図６（１）は、印字データを第１のラベル片１０Ａに印字した例を示す説明図、図６（２）は、印字データを第２のラベル片１０Ｂに印字した例を示す説明図である。
図７は、第１のラベル片１０Ａを食品Ｆの包装容器２８の表面側（包装材３５の上部）に貼り付けるとともに、第２のラベル片１０Ｂを包装容器２８の裏面側に貼り付けた状態を示す概略側面図である。
【００３８】
図６（１）に示すように、第１のラベル片１０Ａには、食品名表示欄２９と、アレルギー物質表示欄３０と、価格表示欄３１と、食品を特定するための光学読み取り可能なバーコードその他のコードを表示するバーコード表示欄３２と、製造年月日および消費期限表示欄３３と、を備えているとともに、その他必要な欄を設けている。
アレルギー物質表示欄３０には、「アレルギー物質」という表示とともに、図４で示したような特徴的な図柄あるいは文字により、アレルギー物質を表示する（図示の例では、太文字で表示している）。
【００３９】
図６（２）に示すように、第２のラベル片１０Ｂは、上記食品名表示欄２９と、原材料表示欄３４と、上記バーコード表示欄３２と、を備えているとともに、その他必要な欄を設けている。
【００４０】
ラベル片１０には、アレルギー物質テーブル２５中に記載されているアレルギー物質を、必ず表示しなければならない表示義務品目と、表示することが推奨されている表示推奨品目と、に分類した上で表示することができるが、第１のラベル片１０Ａには、少なくとも表示義務品目（望ましくは、表示推奨品目も含めて）を印字するとともに、第２のラベル片１０Ｂには、表示義務品目および表示推奨品目を含むすべての原材料を印字する。
たとえば図６（１）に示した例では、第１のラベル片１０Ａにおけるアレルギー物質表示欄３０に、表示義務品目の「卵」および「乳」さらには表示推奨品目の「大豆」を太文字で表示している。
ただし、図６（２）に示すように、第２のラベル片１０Ｂでは、表示義務品目を太文字で、また表示推奨品目を斜文字でそれぞれ表示して区別可能とすることもできる。もちろん、表示義務品目および表示推奨品目について何の区別もせずに、それぞれ目視しやすいかつ特徴的な図柄ないし文字により印字表示することも可能である。
【００４１】
図７に示すように、食品Ｆを容れた包装容器２８の底部に第２のラベル片１０Ｂを貼り付けるとともに、包装容器２８を包む透明な合成樹脂フィルムなどによる包装材３５の上部に第１のラベル片１０Ａを貼り付けるものである。
【００４２】
かくして、この食品Ｆの購入者は、包装材３５の上部に貼り付けられている第１のラベル片１０Ａのアレルギー物質表示欄３０においてアレルギー物質の確認を行うことができ、とくに図４（１）に示すような特徴的な太文字（あるいは必要に応じて特徴的な図柄）を見ることにより、子供や弱視者などでも容易に確認することができる。
【００４３】
レジにおける精算処理においても、レジの作業者は、包装材３５（包装容器２８）の底部に貼り付けられている第２のラベル片１０Ｂのバーコード表示欄３２を食品Ｆ自体をひっくり返すことなく光学的に読み取ることができる。
【００４４】
さらに、購入者としては、この食品Ｆを購入後、包装材３５とともに第１のラベル片１０Ａを引きはがしたとしても、包装容器２８の底部に第２のラベル片１０Ｂが残っているので、アレルギー物質について再度の確認をすることができる。
なお、図７に第１のラベル片１０Ａを仮想線で示したように、包装容器２８の蓋などその上部に第１のラベル片１０Ａを直接貼り付ける構成とすれば、購入した食品Ｆを冷蔵庫などに保冷した場合であっても、包装容器２８をひっくり返すことなく（すなわち、その底部の第２のラベル片１０Ｂを見なくても）、第１のラベル片１Ａによる表示によりアレルギー物質を確認することができる。
【符号の説明】
【００４５】
１  ラベル印字装置（実施例、図１）
２  ラベル連続体
３  供給部
４  検出部
５  印字部
６  操作部
７  表示部
８  制御部
９  台紙
１０  ラベル片
１０Ａ  第１のラベル片（図６（１））
１０Ｂ  第２のラベル片（図６（２））
１１  位置検出用センサー
１２  サーマルヘッド
１３  プラテンローラー
１４  ステッピングモーター
１５  パソコン
１６  ＣＰＵ
１７  ＲＯＭ
１８  ＲＡＭ
１９  インターフェース
２０  モーター駆動部
２１  ヘッド駆動部
２２  センサー駆動部
２３  操作駆動部
２４  表示駆動部
２５  アレルギー物質テーブル（図３）
２６  アレルギー物質欄
２７  アレルギービット欄
２８  包装容器（図７）
２９  食品名表示欄（図６）
３０  アレルギー物質表示欄
３１  価格表示欄
３２  バーコード表示欄
３３  製造年月日および消費期限表示欄
３４  原材料表示欄
３５  包装材
Ｆ    食品（図７）
【図１】
2013248822.tif 000003
【図２】
2013248822.tif 000004
【図３】
2013248822.tif 000005
【図４】
2013248822.tif 000006
【図５】
2013248822.tif 000007
【図６】
2013248822.tif 000008
【図７】
2013248822.tif 000009